(57)【要約】【課題】  モバイルコンピュータを用いてプレゼンテーションを行う場合において、プレゼンテーションを円滑に進めるためのデバイスを提供すること。【解決手段】  モバイルコンピュータの表示画面にプレゼンテーション用画像を表示することで行われるプレゼンテーションを補助し、モバイルコンピュータと接続されるプレゼンテーション補助デバイスであって、外部から、モバイルコンピュータの表示画面に表示されるプレゼンテーション用画像を操作するための操作情報を受け付ける操作情報受付部と、受け付けた操作情報をモバイルコンピュータに伝達する操作情報伝達部と、モバイルコンピュータから、プレゼンテーションを進行させるための画像を取得する画像取得部と、取得したプレゼンテーションを進行させるための画像を表示する画像表示部と、を一体的に備える。【選択図】        図２
2006330552.tif 000002
【特許請求の範囲】
【請求項１】
モバイルコンピュータの表示画面にプレゼンテーション用画像を表示することで行われるプレゼンテーションを補助し、前記モバイルコンピュータと接続されるプレゼンテーション補助デバイスであって、
外部から、前記モバイルコンピュータの前記表示画面に表示される前記プレゼンテーション用画像を操作するための操作情報を受け付ける操作情報受付部と、
受け付けた前記操作情報を前記モバイルコンピュータに伝達する操作情報伝達部と、
前記モバイルコンピュータから、前記プレゼンテーションを進行させるための画像を取得する画像取得部と、
取得した前記プレゼンテーションを進行させるための前記画像を表示する画像表示部と、
を一体的に備えることを特徴とするプレゼンテーション補助デバイス。
【請求項２】
請求項１に記載のプレゼンテーション補助デバイスにおいて、
前記画像表示部は、
前記モバイルコンピュータから、前記プレゼンテーションを進行させるための前記画像として、前記モバイルコンピュータが前記表示画面に表示するプレゼンテーション用画像を取得し、前記モバイルコンピュータが前記表示画面に表示させるタイミングと同じタイミングで、取得した前記プレゼンテーション用画像を表示することを特徴とするプレゼンテーション補助デバイス。
【請求項３】
請求項１または請求項２に記載のプレゼンテーション補助デバイスにおいて、
前記モバイルコンピュータから電力の供給を受けることを特徴とするプレゼンテーション補助デバイス。
【請求項４】
請求項１ないし請求項３のいずれかに記載のプレゼンテーション補助デバイスにおいて、
前記操作情報受付部は、
キーボード、ポインティングデバイス、および、リモートコントローラのいずれかであることを特徴とするプレゼンテーション補助デバイス。
【請求項５】
請求項１ないし請求項４のいずれかに記載のプレゼンテーション補助デバイスにおいて、
前記モバイルコンピュータとはＵＳＢ接続され、
前記操作情報伝達部は、
前記操作情報を、前記ＵＳＢを介して、前記モバイルコンピュータに伝達し、
前記画像取得部は、
前記モバイルコンピュータから、前記ＵＳＢを介して、前記プレゼンテーションを進行させるための前記画像を取得することを特徴とするプレゼンテーション補助デバイス。
【発明の詳細な説明】
【技術分野】
【０００１】
本発明は、プレゼンテータが、モバイルコンピュータの表示画面にプレゼンテーション用画像を表示することによりプレゼンテーションを行う場合において、表示画面に表示するプレゼンテーション用画像の操作や閲覧を容易にする技術に関する。
【背景技術】
【０００２】
従来、所定のプレゼンテータが、所定の人（以下、カスタマと呼ぶ。）にプレゼンテーションを行う場合において、種々の実施形態が存在する。例えば、一つのプレゼンテーションの実施形態として、プレゼンテータが、モバイルコンピュータ（例えば、ノートパソコンなど。）を用いて、そのモバイルコンピュータの表示画面（以下では、モバイル画面と呼ぶ。）にプレゼンテーションを行うための画像（以下、プレゼンテーション用画像と呼ぶ。）を表示させることにより、カスタマに対して、プレゼンテーションを行う場合がある（下記特許文献１参照）。
【０００３】
【特許文献１】特開２００２−３１２０６８号公報
【発明の開示】
【発明が解決しようとする課題】
【０００４】
しかしながら、上述のように、モバイルコンピュータを用いてプレゼンテーションを行う場合において、プレゼンテーション用画像が表示されているモバイル画面は、カスタマに向けているので、プレゼンテータは、モバイル画面に表示されているプレゼンテーション用画像を把握しにくく、プレゼンテーションを円滑に進めにくいという問題があった。また、この場合、モバイルコンピュータにおいて、モバイル画面がカスタマに向いていると、モバイル画面に表示するプレゼンテーション用画像を操作するためのデバイス（例えば、マウスやキーボードなど。）もカスタマに向くことになるので、プレゼンテータは、モバイル画面に表示するプレゼンテーション用画像の切り替え操作等を円滑に行なえず、その結果、プレゼンテーションを円滑に進めにくいという問題があった。そこで、これらの問題を解決するためのデバイスの開発が望まれていた。
【０００５】
本発明は、上記課題に鑑みてなされたもので、モバイルコンピュータを用いてプレゼンテーションを行う場合において、プレゼンテーションを円滑に進めるためのデバイスを提供することを目的とする。
【課題を解決するための手段】
【０００６】
上記目的の少なくとも一部を達成するために、本発明のプレゼンテーション補助デバイスは、
モバイルコンピュータの表示画面にプレゼンテーション用画像を表示することで行われるプレゼンテーションを補助し、前記モバイルコンピュータと接続されるプレゼンテーション補助デバイスであって、
外部から、前記モバイルコンピュータの前記表示画面に表示される前記プレゼンテーション用画像を操作するための操作情報を受け付ける操作情報受付部と、
受け付けた前記操作情報を前記モバイルコンピュータに伝達する操作情報伝達部と、
前記モバイルコンピュータから、前記プレゼンテーションを進行させるための画像を取得する画像取得部と、
取得した前記プレゼンテーションを進行させるための前記画像を表示する画像表示部と、
を一体的に備えることを要旨とする。
【０００７】
上記構成のプレゼンテーション補助デバイスによれば、上記プレゼンテーション時において、プレゼンテーションを行なうプレゼンテータは、このプレゼンテーション補助デバイスから、プレゼンテーション用画像を操作することができ、また、プレゼンテータは、プレゼンテーションを進行させるための画像を画像表示部を介して把握することができるので、プレゼンテーションを円滑に進めることができる。さらに、このプレゼンテーション補助デバイスによれば、操作情報受付部、操作情報伝達部、画像取得部、および、画像表示部を一体的に備えている。従って、プレゼンテータは、このプレゼンテーション補助デバイスをプレゼンテーション会場等に手軽に持ち運ぶことができる。
【０００８】
上記プレゼンテーション補助デバイスにおいて、
前記画像表示部は、
前記モバイルコンピュータから、前記プレゼンテーションを進行させるための前記画像として、前記モバイルコンピュータが前記表示画面に表示するプレゼンテーション用画像を取得し、前記モバイルコンピュータが前記表示画面に表示させるタイミングと同じタイミングで、取得した前記プレゼンテーション用画像を表示するようにしてもよい。
【０００９】
このようにすれば、上記プレゼンテーション時において、プレゼンテータは、モバイルコンピュータが表示画面に表示させたプレゼンテーション用画像を、画像表示部を介して素早く把握することができるので、プレゼンテーションを円滑に進めることができる。
【００１０】
上記プレゼンテーション補助デバイスにおいて、
前記モバイルコンピュータから電力の供給を受けるようにしてもよい。
【００１１】
このようにすれば、プレゼンテーション補助デバイスは、電源を備える必要がないので、コンパクトに設計することができる。その結果、プレゼンテータは、このプレゼンテーション補助デバイスを手軽に持ち運ぶことができる。
【００１２】
上記プレゼンテーション補助デバイスにおいて、
前記操作情報受付部は、
キーボード、ポインティングデバイス、および、リモートコントローラのいずれかとしてもよい。
【００１３】
上記プレゼンテーション補助デバイスにおいて、
前記モバイルコンピュータとはＵＳＢ接続され、
前記操作情報伝達部は、
前記操作情報を、前記ＵＳＢを介して、前記モバイルコンピュータに伝達し、
前記画像取得部は、
前記モバイルコンピュータから、前記ＵＳＢを介して、前記プレゼンテーションを進行させるための前記画像を取得するようにしてもよい。
【００１４】
このようにすれば、ＵＳＢを用いて、モバイルコンピュータとプレゼンテーション補助デバイスとを簡易に接続することが可能である。
【００１５】
なお、本発明は、上記したプレゼンテーション補助デバイスやプレゼンテーションシステム等の装置発明の態様に限ることなく、プレゼン方法などの方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００１６】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００１７】
以下、本発明の実施の形態について、実施例に基づき次の順序で説明する。
Ａ．実施例：
Ａ１．プレゼンテーションのイメージ：
Ａ２．プレゼンテーション補助デバイス１００の構成：
Ａ３．ノートパソコンＮＰＣの構成：
Ａ４．プレゼンテーション時の動作：
Ｂ．変形例：
【００１８】
Ａ．実施例：
Ａ１．プレゼンテーションのイメージ：
図１は、本発明の一実施例としてのプレゼンテーション補助デバイス１００を用いたプレゼンテーション時のイメージ図である。このプレゼンテーション時において、プレゼンテータは、図１に示すように、持ち運び可能で、液晶パネル１０、キーボード２０およびマウス３０等が一体化しているノートパソコンＮＰＣと、本実施例のプレゼンテーション補助デバイス１００とを接続する。そして、プレゼンテータは、ノートパソコンＮＰＣの液晶パネル１０をカスタマに向け、この液晶パネル１０にプレゼンテーション用画像を表示させることにより、カスタマに対してプレゼンテーションを行う。
【００１９】
本実施例のプレゼンテーション補助デバイス１００は、プレゼンテーション時において、ノートパソコンＮＰＣを補助するデバイスである。すなわち、このプレゼンテーション補助デバイス１００は、ノートパソコンＮＰＣの液晶パネル１０に表示される画像を操作可能であり、また、液晶パネル１０に表示される画像と同様の画像を閲覧可能としたデバイスである。本実施例のプレゼンテーション補助デバイス１００、及び、ノートパソコンＮＰＣの構成、動作について、以下に説明する。
【００２０】
Ａ２．プレゼンテーション補助デバイス１００の構成：
図２は、本実施例としてのプレゼンテーション補助デバイス１００を示す概略構成図である。図３は、本実施例のプレゼンテーション補助デバイス１００における正面図である。図２または図３に示すプレゼンテーション補助デバイス１００は、主として、ＵＳＢハブ１１０と、ＵＳＢグラフィックス処理デバイス１２０と、液晶パネル１３０と、ＵＳＢキーボード制御デバイス１４０と、キーパネル１５０と、ＵＳＢマウス制御デバイス１６０と、マウスボタン１７０と、ＵＳＢリモコン制御デバイス１８０と、リモコン受光部１９０と、コネクタｃｎｔ１，２，３とを一体的に備えている。なお、ＵＳＢとは、Ｕｎｉｖｅｒｓａｌ  Ｓｅｒｉａｌ  Ｂｕｓの略である。
【００２１】
このプレゼンテーション補助デバイス１００は、プレゼンテーション時（図１）において、データ通信及び電力供給用のＵＳＢケーブルＫＢ１、および、補助電力供給用のＵＳＢケーブルＫＢ２を介して、ノートパソコンＮＰＣと接続される。なお、ＵＳＢケーブルＫＢ２は、補助電力供給用であるので、接続しなくてもプレゼンテーション補助デバイス１００は動作するが、この場合、プレゼンテーション補助デバイス１００は、省電力モードとなる。
【００２２】
ＵＳＢハブ１１０（図２）は、ＵＳＢポート０〜６の７つのポートを備え、ＵＳＢポート０、コネクタｃｎｔ１とを介して、ＵＳＢケーブルＫＢ１と接続され、または、ＵＳＢポート１、コネクタｃｎｔ２とを介して、ＵＳＢケーブルＫＢ２とそれぞれ接続される。また、ＵＳＢハブ１１０は、ＵＳＢポート２〜６を介して、ＵＳＢグラフィックス処理デバイス１２０、ＵＳＢキーボード制御デバイス１４０、ＵＳＢマウス制御デバイス１６０、ＵＳＢリモコン制御デバイス１８０、及び、コネクタｃｎｔ３とそれぞれ接続される。コネクタｃｎｔ３には、例えば、外付けマウス等の所定のデバイスが接続される。このＵＳＢハブ１１０は、このように各ＵＳＢポートにカスケード式に接続されるアダプタとして機能する。
【００２３】
ＵＳＢグラフィックス処理デバイス１２０（図２）は、プレゼンテーション補助デバイス１００と接続されるノートパソコンＮＰＣから所定の画像データを取得し、その画像データに対して、スケーリング処理（拡大または縮小処理）、コントラスト補正、ガンマ補正、および、ＶＴ（印加電圧Ｖ−光透過率Ｔ）補正等の所定の画像処理を行った後、液晶パネル１３０を駆動して画像を表示させる。
【００２４】
キーパネル１５０、マウスボタン１７０は、プレゼンテータから、ノートパソコンＮＰＣの液晶パネル１０に表示される画像を操作するための情報（以下では、操作情報とも呼ぶ。）を受け付ける。この操作情報としては、後述するように、例えば、ＮＰＣノートパソコンＮＰＣの液晶パネル１０に表示されているプレゼンテーション用画像の切り替え指示や、液晶パネル１０にプレゼンテータが所望するプレゼンテーション用画像の表示指示などがある。
【００２５】
そして、ＵＳＢキーボード制御デバイス１４０（図２）、および、ＵＳＢマウス制御デバイス１６０（図２）は、キーパネル１５０、マウスボタン１７０が受け付けた操作情報をＵＳＢハブ１１０を介してノートパソコンＮＰＣに伝える。
【００２６】
リモコン受光部１９０（図２）は、プレゼンテータから、リモコン１９２を介して操作情報を受け付ける。そして、ＵＳＢリモコン制御デバイス１８０は、リモコン受光部１９０が受け付けた操作情報をＵＳＢハブ１１０を介してノートパソコンＮＰＣに伝える。なお、ノートパソコンＮＰＣにおいて、リモコン１９２初回使用時にリモコン１９２のボタン(図示せず)と、キーパネル１５０のキーとの関連づけを行っておけばよい。
【００２７】
また、このプレゼンテーション補助デバイス１００は、図２に示すように、液晶パネル１３０とキーパネル１５０との間に回転軸１９５を備え、プレゼンテーション補助デバイス１００を持ち運ぶ場合等には、液晶パネル１３０をキーパネル１５０の方に回転させて、液晶パネル１３０とキーパネル１５０とを対面させた状態に保持できるようになっている。
【００２８】
なお、本実施例において、ＵＳＢグラフィックス処理デバイス１２０は、請求項における画像取得部に該当する。液晶パネル１３０は、請求項における画像表示部に該当する。キーパネル１５０、マウスボタン１７０、および、リモコン受光部１９０は、請求項における操作情報受付部に該当する。ＵＳＢキーボード制御デバイス１４０、ＵＳＢマウス制御デバイス１６０、および、ＵＳＢリモコン制御デバイス１８０は、請求項における操作情報伝達部に該当する。
【００２９】
Ａ３．ノートパソコンＮＰＣの構成：
図４は、プレゼンテーションに用いられるノートパソコンＮＰＣを示す概略構成図である。図４に示すノートパソコンＮＰＣは、主として、ＣＰＵ５０と、キーボード２０と、マウス３０と、液晶パネル１０と、グラフィックス処理デバイス７０と、記憶デバイス６０と、ＵＳＢホストＩ／Ｆ制御部８０と、バッテリ８５と、コネクタｃｎｔ４，５とを備える。
【００３０】
このノートパソコンＮＰＣは、プレゼンテーション時において、上述したプレゼンテーション補助デバイス１００が接続されるＵＳＢケーブルＫＢ１、および、ＵＳＢケーブルＫＢ２を、それぞれコネクタｃｎｔ４、コネクタｃｎｔ５に接続することにより、プレゼンテーション補助デバイス１００と接続される。
【００３１】
ＣＰＵ５０は、キーボード２０と、マウス３０と、グラフィックス処理デバイス７０と、記憶デバイス６０と、ＵＳＢホストＩ／Ｆ制御部８０とに対し、プログラムに従って演算を行い種々の制御を行う。また、ＣＰＵ５０は、所定のメモリ（図示せず）に格納されているコンピュータプログラムを実行することにより、主制御部５５として機能する。なお、かかるプログラムは、オペレーティングシステム（ＯＳ）プログラムで構成されるが、その一部を所定のアプリケーションプログラムで構成するようにしてもよい。
【００３２】
ＵＳＢホストＩ／Ｆ制御部８０は、ＵＳＢポート００およびＵＳＢポート０１を備えるＵＳＢインタフェイスであり、ＵＳＢポート００、コネクタｃｎｔ４を介して、ＵＳＢケーブルＫＢ１と接続され、また、ＵＳＢポート０１、コネクタｃｎｔ５を介して、ＵＳＢケーブルＫＢ２とそれぞれ接続される。そして、このＵＳＢホストＩ／Ｆ制御部８０は、ＵＳＢケーブルＫＢ１を介して、プレゼンテーション補助デバイス１００に対して、種々のデータや信号の通信、および、バッテリ８５から受け取る電力の供給を行い、また、ＵＳＢケーブルＫＢ２を介して、プレゼンテーション補助デバイス１００に対して、バッテリ８５から受け取る電力を供給する。
【００３３】
キーボード２０及びマウス３０は、プレゼンテータから、所定の指示、すなわち、操作情報を受け付ける。
【００３４】
記憶デバイス６０は、ドライバ格納部６５と、プレゼンテーション用画像格納部６７とを備える。この記憶デバイス６０としては、例えば、記憶媒体としてＣＤ−Ｒ（ＣＤ−ＲＷ）、および、ＤＶＤ−Ｒ（ＤＶＤ−ＲＷ）などを用いる光デバイスや、記憶媒体としてＭＯなどを用いる光・磁気デバイスや、記憶媒体としてフレキシブルディスクやハードディスクなどを用いる磁気デバイスや、記憶媒体としてメモリースティック（ソニー社の登録商標）やコンパクトフラッシュ（米国SanDisk社の登録商標）などを用いる半導体デバイスなどを用いてもよい。
【００３５】
ドライバ格納部６５には、ノートパソコンＮＰＣに接続可能な所定のデバイスのドライバ（制御ソフトウェア）が、各デバイスのＩＤ（例えば、ベンダＩＤとプロダクトＩＤ。および、必要に応じて製造者（Ｍａｎｕｆａｃｔｕｒｅｒ）ＩＤ、製造番号ＩＤを使用する。以下では、これらを総称してデバイスＩＤと呼ぶ。）に対応づけて格納されている。
【００３６】
プレゼンテーション用画像格納部６７は、プレゼンテーション順に並べられた複数のプレゼンテーション用画像を表わすプレゼンテーション用画像データが格納されている。
【００３７】
グラフィックス処理デバイス７０は、ＣＰＵ５０から表示内容の変更指示や表示データが伝達されてくると、液晶パネル１０に出力する情報を変更して、表示内容の全体または一部を更新する処理を行う。例えば、ノートパソコンＮＰＣが、キーボード２０及びマウス３０や、接続されるプレゼンテーション補助デバイス１００を介してプレゼンテータから受け取った操作情報が、プレゼンテータが所望するプレゼンテーション用画像を液晶パネル１０に表示することを指示するものであれば、まず、ＣＰＵ５０は、プレゼンテータの所望するプレゼンテーション用画像データを記憶デバイス６０のプレゼンテーション用画像格納部６７から読み込み、それを含めた表示内容を構成する。また、ＣＰＵ５０は、読み込んだプレゼンテーション用画像データを含む表示内容をどのように構成するかを表す構成指示をグラフィックス処理デバイス７０に送信する。そこで、本グラフィックス処理デバイス７０は、ＣＰＵ５０からプレゼンテーション用画像データと表示内容の構成指示を受け取り、受け取った表示内容の構成指示に基づいて、受け取ったプレゼンテーション用画像データを加工し、加工後のプレゼンテーション用画像を含む画像を液晶パネル１０に表示させる。なお、以下では、この加工後のプレゼンテーション用画像を含む画像を、単にプレゼンテーション用画像と呼ぶ。
【００３８】
バッテリ８５は、キーボード２０、マウス３０、ＣＰＵ５０、グラフィックス処理デバイス７０、液晶パネル１０、記憶デバイス６０、ＵＳＢホストＩ／Ｆ制御部８０等のノートパソコンＮＰＣにおける各機能ブロックに対して、必要な電力を供給する。また、バッテリ８５は、ノートパソコンＮＰＣとプレゼンテーション補助デバイス１００とが接続されている場合、すなわち、コネクタｃｎｔ４およびコネクタｃｎｔ５に、それぞれＵＳＢケーブルＫＢ１、ＵＳＢケーブルＫＢ２が接続されている場合には、ＵＳＢホストＩ／Ｆ制御部８０のポートＡ、コネクタｃｎｔ４、および、ＵＳＢケーブルＫＢ１を介し、または、ＵＳＢホストＩ／Ｆ制御部８０のポートＢ、コネクタｃｎｔ５、および、ＵＳＢケーブルＫＢ２を介して、プレゼンテーション補助デバイス１００に電力を供給する。なお、バッテリ８５が、ＵＳＢホストＩ／Ｆ制御部８０の各ポートに対し供給する電流の上限は、例えば、各５００ｍＡに設定されている。
【００３９】
また、ノートパソコンＮＰＣは、以下のように設定されている。すなわち、ノートパソコンＮＰＣは、プレゼンテーション補助デバイス１００が接続されている場合には、液晶パネル１０に表示させる画像を表わす画像データを、プレゼンテーション補助デバイス１００のＵＳＢグラフィックス処理デバイス１２０に送信する。そして、グラフィックス処理デバイス７０は、ＵＳＢグラフィックス処理デバイス１２０に対して、自身が液晶パネル１０にその画像を表示させるタイミングに合わせて、その画像を液晶パネル１３０に表示させるように指示する。指示を受けたＵＳＢグラフィックス処理デバイス１２０は、送信されてくる画像データが表わす画像を指示されたタイミングで液晶パネル１３０に表示する。これにより、液晶パネル１０と、液晶パネル１３０に表示される画像は、ほぼ同期して表示される。従って、プレゼンテータは、ノートパソコンＮＰＣにプレゼンテーション補助デバイス１００と接続されている場合に、後述のごとく、液晶パネル１０にプレゼンテーション用画像を表示させると、液晶パネル１３０にもほぼ同じタイミングで同様のプレゼンテーション用画像が表示される。
【００４０】
なお、この液晶パネル１３０に表示されるプレゼンテーション用画像は、請求項におけるプレゼンテーションを進行させるための画像に該当する。また、ノートパソコンＮＰＣは、請求項におけるモバイルコンピュータに該当する。さらに、ノートパソコンＮＰＣの液晶パネル１０は、請求項における表示画面に該当する。
【００４１】
Ａ４．プレゼンテーション時の動作：
以下に、ノートパソコンＮＰＣと本実施例のプレゼンテーション補助デバイス１００とを用いて、プレゼンテーションを行う場合において、ノートパソコンＮＰＣとプレゼンテーション補助デバイス１００の動作処理を以下に説明する。
【００４２】
まず、プレゼンテーション時において、プレゼンテータにより、図１に示すごとく、プレゼンテーション会場にて、本実施例のプレゼンテーション補助デバイス１００とノートパソコンＮＰＣとが、ＵＳＢケーブルＫＢ１及びＵＳＢケーブルＫＢ２により接続され、ノートパソコンＮＰＣからプレゼンテーション補助デバイス１００に、電力が供給されると、プレゼンテーション補助デバイス１００の所定の機能ブロック（図２）、すなわち、ＵＳＢハブ１１０、ＵＳＢグラフィックス処理デバイス１２０、ＵＳＢキーボード制御デバイス１４０、ＵＳＢマウス制御デバイス１６０、および、ＵＳＢリモコン制御デバイス１８０は、それぞれ内部の初期化処理を行う。
【００４３】
続いて、ＵＳＢハブ１１０は、ノートパソコンＮＰＣに対して、ＵＳＢケーブルＫＢ１を介して、自身が接続されたことを通知する。
【００４４】
一方、ノートパソコンＮＰＣの主制御部５５（図４）は、プレゼンテーション補助デバイス１００において、初期化処理を終了したＵＳＢハブ１１０から接続通知がなされると、まず、ＵＳＢハブ１１０にアクセスし、ＵＳＢハブ１１０のデバイスＩＤを含むデバイス情報を取得する。そして、主制御部５５は、記憶デバイス６０のドライバ格納部６５に格納されるドライバの中から、取得したＵＳＢハブ１１０のデバイスＩＤに対応するドライバを読み出し、所定のメモリ（図示せず）で実行することで、読み出したＵＳＢハブ１１０のドライバを有効にする。このようにして、ノートパソコンＮＰＣは、ＵＳＢハブ１１０を自身に接続されたデバイスとして認識する。
【００４５】
続いて、ＵＳＢグラフィックス処理デバイス１２０、ＵＳＢキーボード制御デバイス１４０、ＵＳＢマウス制御デバイス１６０、および、ＵＳＢリモコン制御デバイス１８０は、初期化処理が終了し、通常動作が可能になると、ノートパソコンＮＰＣに対して、ＵＳＢハブ１１０を介して、自身が接続されたことを通知する。
【００４６】
一方、ノートパソコンＮＰＣの主制御部５５は、プレゼンテーション補助デバイス１００において、ＵＳＢグラフィックス処理デバイス１２０、ＵＳＢキーボード制御デバイス１４０、ＵＳＢマウス制御デバイス１６０、および、ＵＳＢリモコン制御デバイス１８０から接続通知がなされると、これらの各デバイスにアクセスし、各デバイスのデバイスＩＤを含むデバイス情報をそれぞれ取得する。そして、主制御部５５は、記憶デバイス６０のドライバ格納部６５に格納されるドライバの中から、取得した各デバイスのデバイスＩＤに対応するドライバをそれぞれ読み出し、所定のメモリで実行することで、読み出した各デバイスのドライバをそれぞれ有効にする。このようにして、ノートパソコンＮＰＣは、ＵＳＢグラフィックス処理デバイス１２０、ＵＳＢキーボード制御デバイス１４０、ＵＳＢマウス制御デバイス１６０、および、ＵＳＢリモコン制御デバイス１８０を自身に接続されたデバイスとして認識する。
【００４７】
以上のように、プレゼンテーション補助デバイス１００のＵＳＢキーボード制御デバイス１４０、ＵＳＢマウス制御デバイス１６０、および、ＵＳＢリモコン制御デバイス１８０がノートパソコンＮＰＣに認識されると、プレゼンテータは、ＵＳＢキーボード制御デバイス１４０、ＵＳＢマウス制御デバイス１６０、および、ＵＳＢリモコン制御デバイス１８０のいずれかを介し、ノートパソコンＮＰＣに対して、所定の指示（操作情報）を与えることが可能となる。
【００４８】
そこで、プレゼンテータは、プレゼンテーション補助デバイス１００のＵＳＢキーボード制御デバイス１４０、ＵＳＢマウス制御デバイス１６０、および、ＵＳＢリモコン制御デバイス１８０のいずれかを介して、ノートパソコンＮＰＣに対し、操作情報として、表示指示を入力する。この表示指示は、最初のプレゼンテーション用画像を液晶パネル１０に表示するように指示するものである。
【００４９】
このように、プレゼンテータからプレゼンテーション用画像の表示指示がなされると、ノートパソコンＮＰＣ（図４）は、プレゼンテーション用画像格納部６７に格納されたプレゼンテーション用画像データから最初のプレゼンテーション用画像データを取得し、そのプレゼンテーション用画像データをプレゼンテーション補助デバイス１００のＵＳＢグラフィックス処理デバイス１２０に送信し、また、そのプレゼンテーション用画像データが表すプレゼンテーション用画像を液晶パネル１０に表示させる。一方、プレゼンテーション補助デバイス１００のＵＳＢグラフィックス処理デバイス１２０（図２）は、ノートパソコンＮＰＣから送信されてくるプレゼンテーション用画像を取得し、グラフィックス処理デバイス７０が液晶パネル１０に表示させるタイミングとほぼ同じタイミングで、取得したプレゼンテーション用画像を液晶パネル１３０に表示させる。
【００５０】
プレゼンテータは、プレゼンテーション補助デバイス１００の液晶パネル１３０に表示されている最初のプレゼンテーション用画像を見ながら、カスタマに対し、そのプレゼンテーション用画像について説明を行う。そして、プレゼンテータは、その説明が終了すると、続いて、プレゼンテーション補助デバイス１００のＵＳＢキーボード制御デバイス１４０、ＵＳＢマウス制御デバイス１６０、および、ＵＳＢリモコン制御デバイス１８０のいずれかを介して、ノートパソコンＮＰＣに対し、操作情報として、液晶パネル１０に表示するプレゼンテーション用画像の切り替えを指示する切り替え指示を入力する。
【００５１】
そして、このように、プレゼンテータからプレゼンテーション用画像の切り替え指示がなされると、ノートパソコンＮＰＣは、プレゼンテーション用画像格納部６７に格納されたプレゼンテーション用画像データから次に表示すべきプレゼンテーション用画像データを取得し、そのプレゼンテーション用画像データをプレゼンテーション補助デバイス１００のＵＳＢグラフィックス処理デバイス１２０に送信し、また、そのプレゼンテーション用画像データが表す画像を液晶パネル１０に表示させる。一方、ＵＳＢグラフィックス処理デバイス１２０は、グラフィックス処理デバイス７０から送信されてくるプレゼンテーション用画像を取得し、グラフィックス処理デバイス７０が液晶パネル１０に表示させるタイミングと同じタイミングで、取得したプレゼンテーション用画像を液晶パネル１３０に表示させる。
【００５２】
プレゼンテータは、カスタマに対するプレゼンテーション用画像の説明が終わる度に、ノートパソコンＮＰＣに対してプレゼンテーション用画像の切り替え指示を行い、プレゼンテーションを進めていく。これに伴い、ノートパソコンＮＰＣは、プレゼンテータからプレゼンテーション用画像の切り替え指示がなされる度に、上述同様、次に表示すべきプレゼンテーション用画像データが表すプレゼンテーション用画像を液晶パネル１０に表示させ、また、プレゼンテーション補助デバイス１００のＵＳＢグラフィックス処理デバイス１２０は、グラフィックス処理デバイス７０が液晶パネル１０に表示させるタイミングと同じタイミングで、取得したプレゼンテーション用画像を液晶パネル１３０に表示させる。
【００５３】
以上のように、本実施例のプレゼンテーション補助デバイス１００は、図１に示すようなプレゼンテーション時において、プレゼンテータから、プレゼンテーション用画像の操作情報（すなわち、表示指示または切り替え指示）を受け付け、それをノートパソコンＮＰＣに伝達するようにしている。そして、プレゼンテーション補助デバイス１００は、ノートパソコンＮＰＣが液晶パネル１０に表示させるプレゼンテーション用画像と同じプレゼンテーション用画像を、ノートパソコンＮＰＣが液晶パネル１０に表示させるタイミングとほぼ同じタイミングで、液晶パネル１３０に表示させるようにしている。このようにすれば、プレゼンテーション時（図１）において、プレゼンテータは、パソコンＮＰＣのキーボード２０やマウス３０等を操作することなく、ノートパソコンＮＰＣの液晶パネル１０に表示されるプレゼンテーション用画像を操作することができ、また、プレゼンテータは、ノートパソコンＮＰＣの液晶パネル１０に表示されたプレゼンテーション用画像を覗き込むことなく、それと同じプレゼンテーション用画像をプレゼンテーション補助デバイス１００の液晶パネル１３０を介して把握することができるので、プレゼンテーションを円滑に進めることができる。
【００５４】
本実施例のプレゼンテーション補助デバイス１００は、プレゼンテータから、操作情報を受け付けるキーパネル１５０やマウスボタン１７０やリモコン受光部１９０と、受け付けた操作情報をノートパソコンＮＰＣに伝達するためのデバイス（すなわち、ＵＳＢキーボード制御デバイス１４０、ＵＳＢマウス制御デバイス１６０、および、ＵＳＢリモコン制御デバイス１８０。）と、ＵＳＢグラフィックス処理デバイス１２０と、液晶パネル１０に表示されたプレゼンテーション用画像と同様のプレゼンテーション用画像を表示するための液晶パネル１３０等を一体的に備えている。従って、プレゼンテータは、プレゼンテーション補助デバイス１００をプレゼンテーション会場等に手軽に持ち運ぶことができる。
【００５５】
本実施例のプレゼンテーション補助デバイス１００は、必要な電力を、ＵＳＢケーブルＫＢ１またはＵＳＢケーブルＫＢ２を介して、ノートパソコンＮＰＣからまかなっている。このようにすれば、プレゼンテーション補助デバイス１００は、電源を備える必要がないので、コンパクトに設計することができる。その結果、プレゼンテータは、このプレゼンテーション補助デバイス１００を手軽に持ち運ぶことができる。
【００５６】
本実施例のプレゼンテーション補助デバイス１００は、液晶パネル１３０とキーパネル１５０とを対面させた状態に保持できるようになっているので、プレゼンテーション補助デバイス１００を手軽に持ち運ぶことができる。
【００５７】
Ｂ．変形例：
なお、本発明では、上記した実施の形態に限られるものではなく、その要旨を逸脱しない範囲において種々の態様にて実施することが可能である。
【００５８】
Ｂ１．変形例１：
上記実施例において、ノートパソコンＮＰＣは、プレゼンテーション用画像を予め記憶デバイス６０のプレゼンテーション用画像格納部６７に格納しておき、プレゼンテータから指示があると、そこから読み出して液晶パネル１０に表示するようにしているが、本発明は、これに限られるものではない。例えば、ノートパソコンＮＰＣは、プレゼンテーション用画像を記憶した外部の記憶装置（図示せず、例えば、外付けハードディスクなど。）と接続しておき、プレゼンテータから指示があると、そこからプレゼンテーション用画像を読み込んで、液晶パネル１０に表示するようにしてもよい。このようにしても、上記実施例と同様の効果を奏することができる。
【００５９】
Ｂ２．変形例２：
上記実施例において、ノートパソコンＮＰＣは、液晶パネル１０に表示させるプレゼンテーション用画像（カスタマ閲覧用）と、ＵＳＢグラフィックス処理デバイス１２０が液晶パネル１３０に表示させるプレゼンテーション用画像（プレゼンテータ閲覧用）とをほぼ同期させて同じプレゼンテーション用画像を表示させるように設定されているが、本発明は、これに限られるものではない。
【００６０】
例えば、ノートパソコンＮＰＣは、液晶パネル１０と液晶パネル１３０とを一つの拡張画面と捉えて、表示制御してもよい。この場合、ノートパソコンＮＰＣは、液晶パネル１０には、プレゼンテータが所望するプレゼンテーション用画像を表示させ、液晶パネル１３０には、ＵＳＢグラフィックス処理デバイス１２０に指示して、プレゼンテーションを進行させるための画像を表示させるようにしてもよい。この場合、プレゼンテーションを進行させるための画像としては、例えば、すべてのプレゼンテーション用画像の一覧、および、液晶パネル１０に表示されているプレゼンテーション用画像が、プレゼンテーション用画像の一覧の中でどのプレゼンテーション用画像であるかを示す情報を表わす画像などがある。なお、プレゼンテーション用画像の一覧は、例えば、ノートパソコンＮＰＣとプレゼンテーション補助デバイス１００とが接続されると、ノートパソコンＮＰＣ側で作成され、プレゼンテーション補助デバイス１００に送信される。
【００６１】
以上のようにすれば、プレゼンテータは、液晶パネル１３０を閲覧することにより、カスタマが閲覧し、液晶パネル１０に表示されているプレゼンテーション用画像がどのようなプレゼンテーション用画像かを把握することができると共に、過去に表示したプレゼンテーション用画像やこれから表示する予定のプレゼンテーション用画像も把握することができるので、プレゼンテーションをより円滑に進めることができる。
【００６２】
Ｂ３．変形例３：
上記実施例において、ノートパソコンＮＰＣの各部は、電力をバッテリ８５から得るようにしているが、本発明は、これに限られるものではない。例えば、ノートパソコンＮＰＣは、外部のＡＣ電源等から電力をまかなってもよい。
【００６３】
Ｂ４．変形例４：
上記実施例において、プレゼンテーション補助デバイス１００は、電源を持たず、接続されるノートパソコンＮＰＣから電力をまかなうようにしているが、本発明は、これに限られるものではない。プレゼンテーション補助デバイス１００は、ノートパソコンＮＰＣ以外のデバイスや、外部電源から電力をまかなうようにしてもいいし、自身に所定のバッテリ（図示せず)を備え、そこから電力をまかなうようにしてもよい。
【００６４】
Ｂ５．変形例５：
上記実施例において、プレゼンテーション補助デバイス１００は、表示画面として液晶パネル１３０を備えるようにしているが、本発明は、これに限られるものではなく、液晶パネル１３０の代わりとして、ＬＥＤパネルや有機ＥＬ等を用いてもよい。
【００６５】
Ｂ６．変形例６：
上記実施例では、プレゼンテーション補助デバイス１００のコネクタｃｎｔ２、および、ノートパソコンＮＰＣのコネクタｃｎｔ５とを、ＵＳＢケーブルＫＢ１で接続することにより、ノートパソコンＮＰＣとプレゼンテーション補助デバイス１００間のデータ通信、および、ノートパソコンＮＰＣからプレゼンテーション補助デバイス１００への電力供給を行うようにしているが、コネクタｃｎｔ２、および、コネクタｃｎｔ５とを、例えば、ＵＳＢケーブルＫＢ２で接続しても同様の効果を奏することができる。また、上記実施例では、プレゼンテーション補助デバイス１００のコネクタｃｎｔ１、および、ノートパソコンＮＰＣのコネクタｃｎｔ４とを、ＵＳＢケーブルＫＢ２で接続することにより、ノートパソコンＮＰＣからプレゼンテーション補助デバイス１００に補助電力の供給を行うようにしているが、コネクタｃｎｔ１、および、コネクタｃｎｔ４とを、例えば、ＵＳＢケーブルＫＢ１で接続しても同様の効果を奏することができる。
【００６６】
Ｂ７．変形例７：
上記実施例において、プレゼンテーション補助デバイス１００およびノートパソコンＮＰＣの各部は、ソフトウェア的に構成されているものを、ハードウェア的に構成するようにしてもよいし、ハードウェア的に構成されているものを、ソフトウェア的に構成するようにしてもよい。
【図面の簡単な説明】
【００６７】
【図１】本発明の一実施例としてのプレゼンテーション補助デバイス１００を用いたプレゼンテーション時のイメージ図である。
【図２】実施例としてのプレゼンテーション補助デバイス１００を示す概略構成図である。
【図３】実施例としてのプレゼンテーション補助デバイス１００における正面図である。
【図４】プレゼンテーションに用いられるノートパソコンＮＰＣを示す概略構成図である。
【符号の説明】
【００６８】
１０...液晶パネル
２０...キーボード
３０...マウス
５０...ＣＰＵ
５５...主制御部
６０...ＲＡＭ
６５...ドライバ格納部
６７...プレゼンテーション用画像格納部
７０...液晶制御デバイス
８０...ＵＳＢＩ／Ｆ
８５...バッテリ
１００...プレゼンテーション補助デバイス
１１０...ＵＳＢハブ
１２０...液晶制御デバイス
１３０...液晶パネル
１４０...ＵＳＢキーボード制御デバイス
１５０...キーパネル
１６０...ＵＳＢマウス制御デバイス
１７０...マウスボタン
１８０...ＵＳＢリモコン制御デバイス
１９０...リモコン受光部
１９２...リモコン
１９５...回転軸
ｃｎｔ１〜５...コネクタ
ＫＢ１...ＵＳＢケーブル
ＫＢ２...ＵＳＢケーブル
ＮＰＣ...ノートパソコン
【図１】
2006330552.tif 000003
【図２】
2006330552.tif 000004
【図３】
2006330552.tif 000005
【図４】
2006330552.tif 000006